【事件の表示】
　特許第３０１０４１４号「草刈機」の請求項１及び２に係る特許に対する特許異議の申立てについて、次のとおり決定する。
【結　論】
　訂正を認める。
　特許第３０１０４１４号の請求項１及び２に係る特許を取り消す。
【理　由】
１．手続きの経緯
　本件特許第３０１０４１４号の請求項１及び２に係る発明は、平成６年８月２９日に出願され、平成１１年１２月１０日にその特許権の設定登録がされ、その後異議申立人、東宏信より特許異議の申し立てがなされ、当審において取消理由を通知したところ、平成１３年２月１９日に訂正請求がなされ、これに対し回答書が提出されたものである。
　
２．訂正の適否について
２-1．訂正明細書の内容
（ａ）特許請求の範囲の【請求項１】中の「機体（１３）の前部に突設した支持杆」（特許公報１欄２行）を「機体（１３）の前部に機体進行方向（Ｘ）前方に向けて突設した支持杆」と訂正する。
（ｂ）特許請求の範囲の【請求項１】中の「突出端部」（同公報１欄３行）を「突出前端部」と訂正する。
（ｃ）特許請求の範囲の【請求項１】中の「偏向した方向（Ｙ）向けて」（同公報１欄１０行）を「偏向した方向（Ｙ）に向けて」と訂正する。
（ｄ）特許請求の範囲の【請求項１】中の「固定自在に構成」（同公報１欄１１行）を「固定自在に構成せしめるとともに、前記法面刈刃（６）の前記機体進行方向（Ｘ）前方側にも補助輪（６５）を配設」と訂正する。
（ｅ）明細書【０００７】中の「機体前部に設けられた案内輪」（同公報３欄２２行）を「機体の前部に機体進行方向に向けて突設した支持杆の突出前端部に取着した案内輪」と訂正する。
（ｆ）明細書【０００８】中の「機体の前部に突設した支持杆」（同公報３欄２４行）を「機体の前部に機体進行方向（Ｘ）前方に向けて突設した支持杆」と訂正する。
（ｇ）明細書【０００８】中の「突出端部」（同公報３欄２５行）を「突出前端部」と訂正する。
（ｈ）明細書【０００８】中の「固定自在に構成」（同公報３欄３１行）を「固定自在に構成せしめるとともに、前記法面刈刃の前記機体進行方向前方側にも補助輪を配設」と訂正する。
（ｉ）明細書【０００９】中の「法面刈刃６を下方に傾斜させて使用される。」（同公報３欄３８〜３９行）を「法面刈刃６を下方に傾斜させ、該法面刈刃６部を補助輪６５によって支持して使用される。」と訂正する。
（ｊ）明細書【００１０】中の「機体１３の前部に突設した支持杆５４，５４」（同公報３欄４１行）を「機体１３の前部に機体進行方向Ｘ前方に向けて突設した支持杆５４，５４」と訂正する。
（ｋ）明細書【００１０】中の「突出端部」（同公報３欄４１〜４２行）を「突出前端部」と訂正する。
（ｌ）明細書【００１１】中の「機体１３の前部に突設した支持杆５４，５４」（同公報４欄１〜２行）を「機体１３の前部に機体進行方向Ｘ前方に向けて突設した支持杆５４，５４」と訂正する。
（ｍ）明細書【００１１】中の「突出端部」（同公報４欄２行）を「突出前端部」と訂正する。
（ｎ）明細書【００１４】中の「前記案内輪２を正規の進行方向Ｘ」（同公報４欄２３〜２４行）を「前記案内輪２を前記機体１３の正規の進行方向Ｘ」と訂正する。
（ｏ）明細書【００２４】中の「のべると、」（同公報５欄３５行）を「述べると、」と訂正する。
（ｐ）明細書【００２７】中の「上下動するように支持されている。」（同公報６欄５行）を「上下動し、前記法面刈刃６の前記機体進行方向Ｘ前方側に配設した補助輪６５によって支持されるようになっている。」と訂正する。
（ｑ）明細書【００５０】中の「適当角度下方に傾斜させられる。」（同公報９欄３行）を「適当角度下方に傾斜させられ、前記補助輪６５によって支持される。」と訂正する。
（ｒ）明細書【００５３】中の「６４はリコイルスタータ、６５は法面刈刃６部に設けられた補助輪である。」（同公報９欄２６行〜１０欄１行）を「６４はリコイルスタータである。」と訂正する。
（ｓ）明細書【符号の説明】中に「６５補助輪」を加入する。
２-2．訂正の目的の適否、新規事項の有無及び拡張・変更の存否
　特許請求の範囲の記載において、前記（ａ）の訂正は「機体（１３）の前部に突設した支持杆」の突設方向を限定するものであり、前記（ｂ）の訂正は案内輪を取着される「突出端部」を限定するものであり、前記（ｄ）の訂正は「法面刈刃（６）の前記機体進行方向（Ｘ）前方側にも補助輪（６５）を配設」する構成を付加するものであるから、（ａ）（ｂ）（ｄ）の訂正は、特許請求の範囲の減縮を目的とするものであり、しかも、これら訂正における構成は特許明細書の【００５０】、【００５１】及び【００５３】並びに【図１】、【図３】【図４】及び【図５】に記載されている。
　また、前記（ｃ）の訂正は、脱字を加入するものであり、誤記の訂正を目的とするものである。
　さらに、前記（ｅ）〜（ｓ）の訂正は、発明の詳細な説明の記載を訂正後の特許請求の範囲の記載と整合させるためのものであるから、明りょうでない記載の釈明を目的とするものである。
　そして、上記（ａ）ないし（ｓ）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．本件発明
　本件の請求項１及び２に係る発明は、上記訂正請求によって訂正された特許明細書及び図面の記載からみて、その特許請求の範囲の請求項１及び２に記載したとおりの、
　「【請求項１】　機体（１３）の前部に
機体進行方向（Ｘ）前方に向けて
前
に
せしめるとともに、前記法面刈刃（６）の前記機体進行方向（Ｘ）前方側にも補助輪（６５）を配設
　【請求項２】　前記案内輪（２）の所定角度（α）を調整自在とした請求項１記載の草刈機。」
にある。
３-2．刊行物記載の発明
　取消理由で引用した、特開平５−３０８３６号公報（以下、「刊行物１」という）及び特開平３−４７１５号公報（以下、「刊行物２」という）にはそれぞれ次の事項が記載されている。
　刊行物１
　ア．「【請求項１】機体に搭載したエンジン動力の伝達により略水平面に沿って回転する主回転刃と、この主回転刃からの動力伝達により略傾斜面に沿って回転する副回転刃とを左右に備える草刈機において、・・・・・」（特許請求の範囲）、
　イ．「本発明を適用した草刈機の概略外観を示す図１及び図２において、１は機体、３は車輪、５はハンドル、７は支持フレーム、９は転舵輪、２０は刈刃装置である。」、（２頁第２欄１６〜１９行）、
　ウ．「【０００８】図１及び図２のように、機体１は、後方に立上がる左右一対のハンドル５，５を備えるとともに、前方へ伸びるパイプによる支持フレーム７を備え、支持フレーム７は、機体１の右側から伸びる分岐部７ａを有し、この支持フレーム７前端には、垂直軸６を介して転舵輪支持アーム８が備えられている。この転舵輪支持アーム８には、図示しないが、転舵輪９の上下位置調整機構が設けられている。
　また、一方のハンドル５の近傍に転舵操作レバー１５が備えられて、支持フレーム７前端の垂直軸６上端に転舵アーム１６が設けられており、これら転舵操作レバー１５と転舵アーム１６間にタイロッド１７が架設されている。」（２頁第２欄２４〜３５行）
　エ．「【００１４】また、図３に示すように、スイングハウジング２５側面部の後部に形成した凹状湾曲部２８には、尾輪６１が配設されており、即ち、尾輪６１は、尾輪支持アーム６２の垂直軸６３を、スイングハウジング上面２６後部上に固設した前後方向のロッド６５後端に固設した縦方向の支持パイプ６６に挿通して、ボルト６８により高さ調整自在に組み付けられている。６９はロックナットである。」（３頁第３欄４７〜第４欄４行）
　オ．「【００１６】次に、以上の草刈機による畦上面の草刈作業について説明する。先ず、本発明を適用した草刈機は、図１０に示す通り、畦の上面に生えた草を刈り取るもので、具体的には、畦の上面を一往復して、畦上面中央部の略水平面とその左右の略傾斜面上の草を刈り取るものである。」（３頁第４欄２７〜３２行）。
　上記記載及び図面の記載によると、刊行物１には、
機体１に機体進行方向前方に向けて突設した支持フレーム７の突出前端部に、垂直軸６を介して転舵輪支持アーム８を備え、該転舵輪支持アーム８に転舵輪９が取着され、後部に車輪３及びハンドル５が設けられ、前記転舵輪９及び前記車輪３間に主回転刃３１及び該主回転刃３１の一側に傾動自在の副回転刃３５が設けられた草刈機において、前記副回転刃３５の前記機体進行方向後方側に尾輪６１を配設した草刈機が記載されていると認められる。
　刊行物２
　カ．「第５図〜第７図は、刈取部の第２実施例を示したものであり、・・・一方の刈取部４により圃場の畝上面の草刈をし、他方の刈取部４により畝側部の草刈をする構成である。」（３頁左上欄１５行〜同右上欄１行）、
　キ．「しかして、前記水平フレーム７′の先側には、受動プーリ１１′を介しその軸筒の回転を前記車輪１５′に伝達する屈曲杆２０′を設ける。屈曲杆２０′はその内端側を、水平フレーム７′の他側上面に固定し、屈曲杆２０′の外端は前記屈曲部８′より突き出させて前記車輪１５′を取付ける。」（第３頁左下欄第１４〜１９行目）、
　ク．「第２実施例では、刈取部４，４′の夫々の車輪１５，１５′は屈曲杆１８，１８′（符号１８，１８′は２０，２０′の誤記）の外端に取付けており、該屈曲杆１８，１８′（符号１８，１８′は２０，２０′の誤記）の内端を水平フレーム７，７′に回転自在に取付け、車輪１５，１５′の回転方向を進行方向に対して外側に角度調節自在にし、畝上面を走行する際に、他方の刈取部の重量によって畝上面からずり落ちるのを防止している。即ち、実施例では刈取部４が畝上面に位置し、刈取部４′が畝側部に位置し、刈取部４′はその自重で畝側部に当接して前進するので、刈取部４′の重量により刈取部４は畝上面からずり落ちることがあり、これを防止するのが目的であるから、その他の任意構造により車輪１５，１５′の回転方向を刈取部の進行方向に対して外側に角度調節できればよい。」（３頁右下欄１３行〜４頁左上欄７行）。
３-3．対比・判断
３-3-1．本件請求項１に係る発明について
　本件請求項１に係る発明と上記刊行物１記載の発明とを対比すると、刊行物１記載の発明の「転舵輪９」が本件請求項１に係る発明の「案内輪（２）」に相当し、同様に、「車輪３」が「走行後輪（３）」に、「ハンドル５」が「操作ハンドル（４）」に、「主回転刃３１」が「平面刈刃（５）」に、「副回転刃３５」が「法面刈刃（６）」に、「尾輪６１」が「補助輪（６５）」に、それぞれ相当するから、両者は、
　機体（１３）に機体進行方向（Ｘ）前方に向けて突設した支持杆に案内輪（２）が取着され、後部に走行後輪（３）及び操作ハンドル（４）が設けられ、前記案内輪（２）及び前記走行後輪（３）間に平面刈刃（５）及び該平面刈刃（５）の一側に傾動自在の法面刈刃（６）が設けられた草刈機において、前記法面刈刃（６）側に補助輪（６５）を配設した草刈機で一致し、
　Ａ．本件請求項１に係る発明では、「機体（１３）の前部に機体進行方向（Ｘ）前方に向けて突設した支持杆（５４，５４）の突出前端部に案内輪（２）が取着され」ているのに対して、刊行物１記載の発明では、機体１に機体進行方向前方に向けて突設した支持フレームの突出前端部に、垂直軸６を介して転舵輪支持アーム８を備え、該転舵輪支持アーム８に転舵輪９が取着されている点、
　Ｂ．本件請求項１に係る発明では、「平面視で前記案内輪（２）の進行方向を正規の機体進行方向（Ｘ）を維持すべく前記法面刈刃（６）側と反対方向に所定角度（α）偏向した方向（Ｙ）に向けて前記案内輪（２）の向きを固定自在に構成」しているのに対して、刊行物１記載の発明では、この点が不明である点、
　Ｃ．本件請求項１に係る発明では、「法面刈刃（６）の前記機体進行方向（Ｘ）前方側にも補助輪（６５）を配設し」ているのに対して、刊行物１記載の発明では、法面刈刃の機体進行方向後方側に尾輪６１を配設している点、
で相違する。
　上記の相違点について検討する。
　上記Ａ．の相違点については、機体の前部に機体進行方向前方に向けて突設した支持杆の突出前端部に案内輪を取着することは、周知（例えば、実公昭３３−１１２３３号公報参照）であるから、刊行物１の発明において、機体の前部に機体進行方向前方に向けて突設した支持杆の突出前端部に案内輪を取着し、本件請求項１に係る発明のように構成することは当業者なら容易にできる設計事項に過ぎない。
　また、上記Ｂ．の相違点については、圃場の畝上面を草刈りする刈取部と、畝側部を草刈りする他方の刈取部とを有する草刈機において、先端部の車輪の方向を、進行方向に対して外側に角度調節自在にし、畝上面を走行する際に、他方の刈取部の重量によつて畝上面からずり落ちるのを防止する技術が、上記刊行物２に記載されている（上記ク．の記載参照）ので、刊行物１記載の発明において、この技術を適用し、進行方向に対して外側に、すなわち、進行方向に対して法面側と反対側に、所定角度偏向した方向に向けて案内輪（転舵輪９）の向きを固定自在に構成することは、当業者が容易に想到できることである。
　さらに、上記Ｃ．の相違点については、法面刈刃の前記機体進行方向前方側に補助輪を配設することは慣用技術（例えば、特開昭６１−２８９８１０号公報参照）であるから、刊行物１記載の発明において、補助輪（尾輪６１）を法面刈刃（副回転刃３５）の前記機体進行方向前方側に配設することは、当業者なら容易にできることである。
　そして、本件請求項１に係る発明が奏する効果は、上記刊行物１及び２に記載された発明並びに周知技術から予測できる程度のことであって、格別顕著なものではない。
　したがって、本件請求項１に係る発明は、上記刊行物１及び刊行物２に記載された発明に基いて、当業者が容易に発明をすることができたものである。
３-3-2．本件請求項２に係る発明について
　本件請求項２に係る発明と上記刊行物１記載の発明とを対比すると、両者は、
　機体（１３）に機体進行方向（Ｘ）前方に向けて突設した支持杆に案内輪（２）が取着され、後部に走行後輪（３）及び操作ハンドル（４）が設けられ、前記案内輪（２）及び前記走行後輪（３）間に平面刈刃（５）及び該平面刈刃（５）の一側に傾動自在の法面刈刃（６）が設けられた草刈機において、前記法面刈刃（６）側に補助輪（６５）を配設した草刈機で一致し、
　上記Ａ．及びＣ．の相違点、
　Ｄ．本件請求項２に係る発明では、「平面視で前記案内輪（２）の進行方向を正規の機体進行方向（Ｘ）を維持すべく前記法面刈刃（６）側と反対方向に所定角度（α）偏向した方向（Ｙ）に向けて前記案内輪（２）の向きを固定自在に構成」し、「前記案内輪（２）の所定角度（α）を調整自在とし」ているのに対して、刊行物１記載の発明では、この点が不明である点、
で相違する。
　上記相違点について検討する。
　上記Ａ．及びＣ．の相違点については、上記「３-3-1．本件請求項１に係る発明について」に記載した理由により当業者が容易に想到できたものである。
　また、上記Ｄ．の相違点については、圃場の畝上面を草刈りする刈取部と、畝側部を草刈りする他方の刈取部とを有する草刈機において、先端部の車輪の方向を、進行方向に対して外側に角度調節自在にし、畝上面を走行する際に、他方の刈取部の重量によつて畝上面からずり落ちるのを防止する技術が、上記の刊行物２に記載されている（上記ク．の記載参照）ので、刊行物１記載の発明において、この技術を適用し、進行方向に対して外側に、すなわち、進行方向に対して法面側と反対側に、所定角度偏向した方向に向けて案内輪（転舵輪９）の向きを固定自在に構成すると共に、その偏向する角度を調整自在とすることは、当業者が容易に想到できることである。
　そして、本件請求項２に係る発明が奏する効果は、上記刊行物１及び２に記載された発明並びに周知技術から予測できる程度のことであって、格別顕著なものではない。
　したがって、本件請求項２に係る発明は、上記刊行物１及び刊行物２に記載された発明に基いて、当業者が容易に発明をすることができたものである。
３-4．むすび
　以上のとおりであるから、本件請求項１及び２に係る発明は特許法第２９条第２項の規定により特許を受けることができない。
　したがって、本件請求項１及び２に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月２６日（２００１．９．２６）
【訂正の要旨】
　特許第３０１０４１４号発明の明細書を本件訂正請求書に添付した訂正明細書のとおりに、すなわち、特許請求の範囲の減縮を目的として下記（ａ）（ｂ）（ｄ）のとおりに訂正し、誤記の訂正を目的として下記（ｃ）のとおりに訂正し、明りょうでない記載の釈明を目的として下記（ｅ）ないし（ｓ）のとおりに訂正する。
（ａ）特許請求の範囲の【請求項１】中の「機体（１３）の前部に突設した支持杆」（特許公報１欄２行）を「機体（１３）の前部に機体進行方向（Ｘ）前方に向けて突設した支持杆」と訂正する。
（ｂ）特許請求の範囲の【請求項１】中の「突出端部」（同公報１欄３行）を「突出前端部」と訂正する。
（ｃ）特許請求の範囲の【請求項１】中の「偏向した方向（Ｙ）向けて」（同公報１欄１０行）を「偏向した方向（Ｙ）に向けて」と訂正する。
（ｄ）特許請求の範囲の【請求項１】中の「固定自在に構成」（同公報１欄１１行）を「固定自在に構成せしめるとともに、前記法面刈刃（６）の前記機体進行方向（Ｘ）前方側にも補助輪（６５）を配設」と訂正する。
（ｅ）明細書【０００７】中の「機体前部に設けられた案内輪」（同公報３欄２２行）を「機体の前部に機体進行方向に向けて突設した支持杆の突出前端部に取着した案内輪」と訂正する。
（ｆ）明細書【０００８】中の「機体の前部に突設した支持杆」（同公報３欄２４行）を「機体の前部に機体進行方向（Ｘ）前方に向けて突設した支持杆」と訂正する。
（ｇ）明細書【０００８】中の「突出端部」（同公報３欄２５行）を「突出前端部」と訂正する。
（ｈ）明細書【０００８】中の「固定自在に構成」（同公報３欄３１行）を「固定自在に構成せしめるとともに、前記法面刈刃の前記機体進行方向前方側にも補助輪を配設」と訂正する。
（ｉ）明細書【０００９】中の「法面刈刃６を下方に傾斜させて使用される。」（同公報３欄３８〜３９行）を「法面刈刃６を下方に傾斜させ、該法面刈刃６部を補助輪６５によって支持して使用される。」と訂正する。
（ｊ）明細書【００１０】中の「機体１３の前部に突設した支持杆５４，５４」（同公報３欄４１行）を「機体１３の前部に機体進行方向Ｘ前方に向けて突設した支持杆５４，５４」と訂正する。
（ｋ）明細書【００１０】中の「突出端部」（同公報３欄４１〜４２行）を「突出前端部」と訂正する。
（ｌ）明細書【００１１】中の「機体１３の前部に突設した支持杆５４，５４」（同公報４欄１〜２行）を「機体１３の前部に機体進行方向Ｘ前方に向けて突設した支持杆５４，５４」と訂正する。
（ｍ）明細書【００１１】中の「突出端部」（同公報４欄２行）を「突出前端部」と訂正する。
（ｎ）明細書【００１４】中の「前記案内輪２を正規の進行方向Ｘ」（同公報４欄２３〜２４行）を「前記案内輪２を前記機体１３の正規の進行方向Ｘ」と訂正する。
（ｏ）明細書【００２４】中の「のべると、」（同公報５欄３５行）を「述べると、」と訂正する。
（ｐ）明細書【００２７】中の「上下動するように支持されている。」（同公報６欄５行）を「上下動し、前記法面刈刃６の前記機体進行方向Ｘ前方側に配設した補助輪６５によって支持されるようになっている。」と訂正する。
（ｑ）明細書【００５０】中の「適当角度下方に傾斜させられる。」（同公報９欄３行）を「適当角度下方に傾斜させられ、前記補助輪６５によって支持される。」と訂正する。
（ｒ）明細書【００５３】中の「６４はリコイルスタータ、６５は法面刈刃６部に設けられた補助輪である。」（同公報９欄２６行〜１０欄１行）を「６４はリコイルスタータである。」と訂正する。
（ｓ）明細書【符号の説明】中に「６５補助輪」を加入する。
（５４）【発明の名称】
草刈機
（５７）【特許請求の範囲】
　【請求項１】　機体（１３）の前部に
機体進行方向（Ｘ）前方に向けて
前
に
せしめるとともに、前記法面刈刃（６）の前記機体進行方向（Ｘ）前方側にも補助輪（６５）を配設
　【請求項２】　前記案内輪（２）の所定角度（α）を調整自在とした請求項１記載の草刈機。
【発明の詳細な説明】
　【０００１】
　【産業上の利用分野】
　本発明は、平地の草刈作業の他に、特に、畦、畝等の法面の同時草刈り作業に有効で、その場合において、労力の軽減と、作業性の向上を図った草刈機に関する。
　【０００２】
　【従来の技術】
　従来、略水平面に沿って回転する主回転刃と、略傾斜面に沿って回転する副回転刃を左右に備え、前記主回転刃の前方に前記副回転刃を配置して、これら両回転刃を左右方向で互いに若干オ−バ−ラップさせるとともに、前記両回転刃の回転方向を平面視でともに、前方側において前記副回転刃側から前記主回転刃側へ向けて回転するようにした草刈機が提案されている（特開平５−３０８３７号公報参照）。
　【０００３】
　前記構成の草刈機は、主回転刃及び副回転刃の前部に転舵輪が設けられ、後部に走行後輪及び操作ハンドルが設けられ、作業者が操作ハンドルをもって走行させながら草刈り作業を行なうものである。
　【０００４】
　【発明が解決しようとする課題】
　前記したごとき水平面草刈り用の刈刃の他に、片側に傾動自在の傾斜面（法面）用の刈刃が設けられた草刈機を使用して畦、畝等の草刈り作業を行うと、傾斜面（法面）側の刈刃の負荷抵抗及び法面用刈刃装置自体の重量等により、草刈機本体の進行方向が傾斜面側に自然に曲がり、作業が困難になる場合があった。
　【０００５】
　そのため作業者が操作ハンドルによって常時進行方向を矯正しながら作業を行わなければならず、作業者にその労力が負担となり、さらに作業効率においても問題を残すものであった。
　【０００６】
　本発明は、前記事情によりなされたもので、前記のごとき平面及び法面草刈用の草刈機を使用した草刈り作業において、草刈機本体の直進性が維持され、したがって労力の軽減と作業性の向上を図ることができる草刈機を提供することを目的とする。
　【０００７】
　【問題を解決しようとする手段】
　本発明は、前記目的を達成するため、草刈機の機体の前部に
機体進行方向に向けて突設した支持杆の突出前端部に取着し
　【０００８】
　具体的には、機体の前部に
機体進行方向（Ｘ）前方に向けて
前
せしめるとともに、前記法面刈刃の前記機体進行方向前方側にも補助輪を配設
　【０００９】
　【作用】
　本発明では、平地の草刈作業においては、法面刈刃６が持ち上げられ、あるいは平面刈刃５と同様に水平状態にして使用される。しかしながら、畦等のごとく平地の他に、法面の同時草刈りが必要な場合には、法面刈刃６を下方に傾斜させ
、該法面刈刃６部を補助輪６５によって支持し
　【００１０】
　本発明では、この畦等の草刈作業の場合に、機体１３の前部に
機体進行方向Ｘ前方に向けて
前
　【００１１】
　すなわち、通常であれば、法面刈刃６側の負荷抵抗及び法面刈刃装置自体の重量等により草刈機本体の進行方向が走行中に自然に傾斜面（法面）側に曲がることになるが、本発明では、機体１３の前部に
機体進行方向Ｘ前方に向けて
前
　【００１２】
　また、好ましくは、前記案内輪２の所定角度αが調整自在に構成される。この構成は、作業現場における法面刈刃６の傾斜状態等に均衡させるように前記所定角度αを調整し、その他、草刈機本来の性能状態に合わせて直進性が得られるように調整することを可能とする。
　【００１３】
　具体的には、図面実施例における揺動支持板５３、案内輪２の支持杆５４、５４を前記案内輪２を平面視で正規の進行方向Ｘに対して左右及び上下に傾動自在に球体５２を介してボルト５５及びナット５６で前記機体１３に連結し、さらに刈り高調整レバー４９の先端部の水平片５８に設けた弧状長孔５８ａに適合させられた前記揺動支持板５３の水平片６０に植設されたボルト５９にナット６１を螺合して前記両水平片５８及び６０を互いに締め付け固定せしめればよい。
　【００１４】
　その結果、前記案内輪２を
前記機体１３の
　【００１５】
　【実施例】
　以下に、本発明を実施した装置の一例を図面について詳細に説明する。図１は本発明の草刈機の概略平面図、図２は図１の要部の分解斜視図、図３は駆動系統を示す概略平面図、図４は全体斜視図、図５は法面刈刃の傾斜状態を示す正面図である。
　【００１６】
　図面実施例における草刈機の機体１３は、自走式に構成されている。すなわち、中央に空冷２サイクルガソリンエンジン等の原動機１が設けられ、前部に案内輪２、後部に走行後輪３及び操作ハンドル４が設けられている。なお、図面実施例では、前記走行後輪３が前記原動機１によって回転駆動させられる構成になっている。
　【００１７】
　さらに前記案内輪２及び走行後輪３間には、前記原動機１、平面刈刃５及び該平面刈刃５の一側に傾動自在の法面刈刃６が設けられ、該法面刈刃６及び前記平面刈刃５も前記原動機１によって回転駆動させられる構成となっている。
　【００１８】
　まず、前記走行後輪３の駆動について述べると、図３に示すごとく、前記原動機１の下向きに突設された出力軸１ａに設けられた車輪駆動プ−リ７と前記走行後輪３の近くに軸支された伝動プ−リ８間に、緩めの伝動ベルト９が懸架され、さらに前記伝動プ−リ８の回転が、詳細を図示しないが減速装置１０で減速及び方向転換され、さらにチェ−ン等を介して前記走行後輪３に伝達される構成となっている。
　【００１９】
　図中、１１は走行クラッチであり、後端をピン１２で前記機体１３側に枢支した揺動レバ−１４の揺動端に、前記伝動ベルト９の略中間部を外側から内側に向けて押し付け可能なテンションロ−ラ１５が設けられ、さらに前記揺動レバ−１４の基端部側にリンク１６、１７が連結され、詳細を図示しないが、該リンク１７を前記操作ハンドル４部に設けた走行クラッチレバ−１８で引き、さらに引いた状態を維持できる構成になっている。
　【００２０】
　すなわち、前記走行クラッチレバ−１８を引かない状態では、前記原動機１を始動しても、前記車輪駆動プ−リ７と伝動プ−リ８間に懸架された前記伝動ベルト９が緩められた状態にあるため、前記車輪駆動プ−リ７の回転が前記伝動プ−リ８に伝達されることはない。
　【００２１】
　しかしながら、前記原動機１の始動後、作業現場等において、前記走行クラッチレバ−１８を引き操作すると、前記車輪駆動プ−リ７と前記伝動プ−リ８間に懸架された緩めの伝動ベルト９の外側から前記テンションロ−ラ１５が押し付けられる。
　【００２２】
　その結果、前記伝動ベルト９が、前記車輪駆動プ−リ７及び前記伝動プ−リ８間で所定の張りに緊張させられ、前記伝動ベルト９と前記車輪駆動プ−リ７及び前記伝動プ−リ８間の摩擦抵抗により、前記車輪駆動プ−リ７の回転が前記伝動プ−リ８に伝達され、さらに前記減速装置１０で減速及び回転方向が転換させられて前記走行後輪３に伝達され、該走行後輪３が回動させられて走行が可能となる。
　【００２３】
　つぎに、前記平面刈刃５及び前記法面刈刃６の回転機構について述べる。
　【００２４】
　まず、前記平面刈刃５の回転機構について
述
　【００２５】
　さらに、該伝動ベルト２１の外側の前記機体１３部に揺動レバ−２３が枢支され、その揺動端に設けられたテンションロ−ラ２２が前記伝動ベルト２１の略中間部の外側に位置するように構成される。
　【００２６】
　そして、前記揺動レバ−２３の基端側が前記操作ハンドル４に設けた刈刃クラッチレバ−２４とボ−デンワイヤ２５によって連結され、前記刈刃クラッチレバ−２４を図４に示すレバ−ガイド２４ｃの一段目係止部２４ａまで引くことによって、前記伝動ベルト２１の外側に前記テンションロ−ラ２２が押し付けられ、伝動ベルト２１が緊張させられ、前記刈刃駆動プ−リ１９の回転が前記伝動プ−リ２０に伝えられて平面刈刃５が回転させられる構成になっている。
　【００２７】
　つぎに、前記法面刈刃６の回転機構について述べる。該法面刈刃６は、前記平面刈刃５の後方の前記機体１３部の片側（図示例では左側）に支持軸２６によって外側方向が上下動
し、前記法面刈刃６の前記機体進行方向Ｘ前方側に配設した補助輪６５によって支持されるようになっている。
　【００２８】
　この法面刈刃６は、前記平面刈刃５の回転軸５ａに設けた伝動プーリ２７から回転が伝えられ、さらに前記平面刈刃５を回転させても通常は連動して回転することがなく、しかしながら、必要な場合には前記平面刈刃５と同時に回転させることもできる構成になっている。
　【００２９】
　まず、前記伝動プ−リ２７と前記機体１３部に支持された伝動プ−リ２８間に緩めの伝動ベルト２９が懸架される。つぎに、前記伝動プ−リ２８の回転軸２８ａにベベルギア３０が設けられ、該ベベルギア３０に前記法面刈刃６側に延長支持された伝動軸３１の一端に設けたベベルギア３２が噛み合わされる。
　【００３０】
　さらに、前記伝動軸３１の他端にタイミングギア３３が設けられ、該タイミングギア３３の支持部から前記法面刈刃６の前側に延長した前記タイミングギア３３を中心に上下揺動自在な可動杆３４の先端に支持したタイミングギア３５間にタイミングベルト３６が前記可動杆３４内において懸架される。
　【００３１】
　さらに、前記可動杆３４の先端部の前記タイミングギア３５と同軸上に上下揺動自在に内方に伸びる連結杆３７が連結され、その基端側に設けられた前記タイミングギア３５と同軸上にあるタイミングギア３８と、揺動端側に設けられたタイミングギア３９間にタイミングベルト４０が前記連結杆３７内において懸架される。
　【００３２】
　そして、前記連結杆３７の揺動端側に設けられた前記タイミングギア３９部が前記法面刈刃６部のカバ−４１部に連結され、前記タイミングギア３９の回転軸４２が前記カバ−４１の中心部に向けて前記支持軸２６と平行に後方へ延長される。さらに、前記回転軸４２の後端部に設けたベベルギア４３が前記法面刈刃６の回転軸６ａの上端に設けたベベルギア４４と噛み合わされる。
　【００３３】
　前記構成の法面刈刃６の回転機構によれば、法面刈刃６の外側（左側）方向を上下動させた場合にも、該法面刈刃６の回転を維持することができる。
　【００３４】
　図中、４５は前記法面刈刃６の傾斜状態を調整維持する支持杆であり、前記カバ−４１部に外方端が枢支され、内方端側に適数の調整穴が円弧上に設けられ、必要とする傾斜を維持する調整穴に、前記機体１３側に設けたピン４６を差し込み固定する構成となっている。また、４７は前記法面刈刃６の傾斜状態調整時に法面刈刃６部を上下に移動させる操作を補助する把持杆である。
　【００３５】
　つぎに、前記法面刈刃６の回転操作の実際を述べる。この法面刈刃６は、すでに述べたごとく前記平面刈刃５を回転させても一緒に回転することがないが、必要な場合には平面刈刃５と同時に回転させることもできる構成となっている。
　【００３６】
　すなわち、前記した平面刈刃５の回転操作に続いて、前記法面刈刃６をも回転させる場合には、テンションロ−ラ４８を前記伝動ベルト２９にその外側から押圧して該伝動ベルト２９を緊張させればよい。
　【００３７】
　なお、前記テンションロ−ラ４８は、詳細を図示しないが、前記平面刈刃５を回転させる前記テンションロ−ラ２２を有する前記揺動レバ−２３の動きに連動して前記伝動ベルト２９側に移動して該伝動ベルト２９を緊張させる構成となっており、その操作は、前記操作ハンドル４に設けられた前記刈刃クラッチレバ−２４を図４に示す前記レバ−ガイド２４ｃの二段目係止部２４ｂまで引くことにより行われる構成になっている。
　【００３８】
　前記のごとく、前記刈刃クラッチレバ−２４を前記二段目係止部２４ｂまで引くと、前記テンションロ−ラ４８が前記伝動ベルト２９を緊張させる。その結果、前記伝動プ−リ２７の回転が前記伝動プ−リ２８に伝えられ、順次、ベベルギア３０、ベベルギア３２、伝動軸３１、タイミングギア３３、タイミングベルト３６、タイミングギア３５、タイミングギア３８、タイミングベルト４０、タイミングギア３９、回転軸４２、ベベルギア４３から法面刈刃６の回転軸６ａの上端に設けられたベベルギア４４に伝えられて法面刈刃６が回転させられる。
　【００３９】
　なお、前記伝動軸３１から前記回転軸４２に至る動力系をコンパクトにまとめるために、あまりにも小径のＶプ−リを使用すると、動力伝達効率が極端に低下してしまうので、本実施例のごとく、タイミングギアとタイミングベルトの噛み合わせとすることが望ましい。
　【００４０】
　本発明では、前記構成において、図１に示されているように、前記案内輪２の進行方向が正規の前記機体１３の進行方向Ｘに対して、平面視で前記法面刈刃６と反対方向に所定角度α偏向した方向Ｙに向けて固定できるように構成される。
　【００４１】
　そのための具体的構成の一実施例が図２に示されている。前記案内輪２は刈り高調整機能を有する。すなわち、前記操作ハンドル４側に延長された刈り高さ調整レバ−４９を操作することにより、前記機体１３部に対して前記案内輪２が上下動させられ、その結果として、前記平面刈刃５及び法面刈刃６の地面からの高さが調整される構成となっている。
　【００４２】
　図２において、５０、５０は前記機体１３の前端に固定された垂直な平行支持ブラケットであり、該平行支持ブラケット５０、５０にはそれぞれ貫通穴５０ａ、５０ａが設けられている。
　【００４３】
　さらに、外側端に前記平行支持ブラケット５０、５０の貫通穴５０ａ、５０ａの外側に係止する鍔部５１ａ、５１ａを有し、前記平行支持ブラケット５０、５０の貫通穴５０ａ、５０ａの外側から嵌め込まれ、内側端に球座面５１ｂ、５１ｂが構成され、さらにボルト挿通孔５１ｃ、５１ｃを有する球座５１、５１、及び該球座５１、５１の前記球座面５１ｂ、５１ｂに適合し、前記ボルト挿通孔５１ｃ、５１ｃより大きめのボルト挿通孔５２ａを有する球体５２が準備される。
　【００４４】
　図中、５３は揺動支持板であり、後端部に前記球体５２を受け入れる貫通穴５３ａが設けられ、さらに前部両側面に前記案内輪２の前記支持杆５４、５４が溶接によって取り付けられる。
　【００４５】
　つぎに、前記揺動支持板５３の後端部の貫通穴５３ａに前記球体５２を適合させ、それらを前記平行支持ブラケット５０、５０の間に位置させ、該平行支持ブラケット５０、５０のそれぞれ外側から前記球座５１、５１を嵌め込み、さらに一方の球座５１のボルト挿通孔５１ｃ、球体５２の少々大きめのボルト挿通孔５２ａ、他方の球座５１のボルト挿通穴５１ｃにボルト５５を挿通し、その突出端部にナット５６を螺合する。
　【００４６】
　その結果、前記揺動支持板５３と一体の前記支持杆５４、５４、すなわち前記案内輪２が前記平行支持ブラケット５０、５０間に支持され、しかも前記球体５２が存在するので、前記案内輪２を前記機体１３の正規の進行方向Ｘに対して左右に所定角度α偏向させることが可能となる。
　【００４７】
　図面実施例では、前記前記ボルト５５及びナット５６に前記刈り高調整レバ−４９の支持機能を持たせている。すなわち、前記刈り高調整レバ−４９の先端部に、該刈り高調整レバ−４９と平行に後方に折り曲げたブラケット５７を溶接し、該ブラケット５７に貫通穴５７ａを設け、該貫通穴５７ａに前記球座５１の外端部５１ｄを挿通し、前記球座５１、５１、球体５２及び揺動支持板５３を前記平行支持ブラケット５０、５０に一緒に支持している。
　【００４８】
　さらに、前記刈り高調整レバ−４９の先端部の前記ブラケット５７と一体に予め弧状長孔５８ａを設けた水平片５８を設け、また、前記揺動支持板５３の先端部には前記水平片５８の弧状長孔５８ａに適合するボルト５９を上向きに有する水平片６０を一体に設け、該水平片６０の前記ボルト５９を前記水平片５８の弧状長孔５８ａに適合させてナット６１を螺合して連結した構成となっている。
　【００４９】
　なお、前記刈り高調整レバ−４９側の水平片５８の弧状長孔５８ａは、反対に前記揺動支持板５３側の水平片６０に設けてもよいし、また、長孔に変えて適数の独立した孔としてもよい。さらに、一方の水平片に単独孔、他方の水平片に弧状長孔あるいは適数の独立した孔をあけ、独立したボルト、ナットを利用して両水平片５８及び６０を所定位置において互いに連結可能としてもよい。
　【００５０】
　前記構成においては、法面草刈り作業の場合には、法面刈刃６が適当角度下方に傾斜させられ
、前記補助車輪６５によって支持され
　【００５１】
　具体的には、揺動支持板５３、案内輪２の支持杆５４、５４を機体１３の正規の進行方向Ｘに対して、法面刈刃６と反対方向に移動させれば、案内輪２が所定角度α偏向させることができ、その後、ボルト５５及びナット５６を締め付け、さらに刈り高調整レバ−４９の先端部の水平片５８に設けた弧状長孔５８ａに適合させられた揺動支持板５３の水平片６０に設けられたボルト５９にナット６１を螺合して締め付ければよい。
　【００５２】
　なお、前記刈り高調整レバ−４９のブラケット５７は、前記ボルト５５及びナット５６を締め付けた場合にも前記平行支持ブラケット５０、５０に完全に固定されることがなく、前記ボルト５５を中心に上下方向に回動でき、前記刈り高調整レバ−４９の操作が自在であるように構成されている。
　【００５３】
　また、前記刈り高調整レバ−４９は、該刈り高調整レバ−４９を係止させることができる適数段の凹所を有する係止板６２の目盛りを見て、その刈り高さ調整位置にセットできる構成となっている。図中、６３はエンジンのスロットルレバ−、６４はリコイルスタ−タ
であ
　【００５４】
　【発明の効果】
　本発明によれば、片側に傾動自在の法面刈刃が設けられた草刈機において、平面及び法面草刈作業を行った場合にも直進性が維持され、したがって、労力の軽減と、作業性の向上を図ることができる効果が得られる。
【図面の簡単な説明】
　【図１】
　本発明一実施例草刈機の概略平面図である。
　【図２】
　図１の要部の分解斜視図である。
　【図３】
　本発明一実施例草刈機の駆動系統を示す概略平面図である。
　【図４】
　本発明一実施例草刈機の全体斜視図である。
　【図５】
　本発明一実施例草刈機の法面刈刃の傾斜状態を示す正面図である。
　【符号の説明】
　２　　案内輪
　３　　走行後輪
　４　　操作ハンドル
　５　　平面刈刃
　６　　法面刈刃
　１３　機体
　
６５
補助輪
　Ｘ　　正規の進行方向
　Ｙ　　傾斜した方向
　α　　所定角度